(57)【要約】【課題】  外装ケースの投光窓に、和紙風半透明シートと水引技法による細線模様細工とからなるシールド部材を張設し、内部光源を点灯しない非使用時においても、豪華で特有のデザイン効果を演出することができるムード照明器具を提供する。【解決手段】  内部光源Ｌ１の光を周囲に配光する外装ケース２０の投光窓２Ｍに、光透過性のシールド部材３０として、外観において和紙の風合いを有しながら和紙の欠点をおさえた和紙風半透明シート３２と、水引技法による細線模様細工３１とを組み合わせて張設する。【選択図】  図１
0003120129.tif 000002
【実用新案登録請求の範囲】
【請求項１】
内部光源と、該内部光源の光を周囲に配光する投光窓を有し該内部光源を取り囲むように形成する外装ケースと、前記投光窓に張設する光透過性のシールド部材とを備え、
前記シールド部材は、外部から点灯状態の前記内部光源を視認不可能に光を透過する和紙風半透明シートと、該和紙風半透明シートの前面に添設する平面的に形成された水引技法による細線模様細工との組合せからなることを特徴とするムード照明器具。
【請求項２】
前記シールド部材における前記和紙風半透明シートが、ポリエステルモノフィラメント糸のメッシュ織地にポリエステル不織布を積層してなる和紙風クロスであることを特徴とする請求項１に記載のムード照明器具。
【請求項３】
前記細線模様細工が水引を材料としてなることを特徴とする請求項２に記載のムード照明器具。
【請求項４】
前記シールド部材における前記和紙風半透明シートが、板厚内に和紙を封入してなる和紙入り樹脂シートであることを特徴とする請求項１に記載のムード照明器具。
【請求項５】
前記外装ケースが耐錆性の金属材料によって形成され、前記細線模様細工が耐錆性の金属製細線を材料としてなることを特徴とする請求項４に記載のムード照明器具。
【請求項６】
前記シールド部材と前記細線模様細工との間に所定の間隔が設定されていることを特徴とする請求項１ないし請求項５のいずれか１項に記載のムード照明器具。
【考案の詳細な説明】
【技術分野】
【０００１】
本考案は、照明器具において、光源と視線との間を光透過可能に遮断するために使用されるシールド部材として、半透明シートと水引技法による細線模様細工とを組み合わせることによって、単一材料では達成することができない格別の趣を備えさせたムード照明器具に関する。
【背景技術】
【０００２】
室内及び室外の照明は、文化的な生活に欠くことができない生活要素である。照明器具は、人間の視覚を確保することを目的とする機能照明器具と、生活空間にデザイン性や豊かさを演出するためのムード照明器具とに大きく分類することができる。ただし、一般的には、双方の目的を有することが多い。本考案は、ムード照明器具としての機能を主目的とする。
【０００３】
ムード照明器具の特徴は、照明器具を利用して演出しようとする目的に応じて多種多様なデザイン形態が採用されることにある。しかし、現実的には、照明器具としての制約を受けることにより、全く制限のないデザインは許容されない。制約内容としては、火災に対する安全性の条件、光源の電気的な条件、安定な設置条件等が要求される。また、屋外に設置する照明については、バグ昆虫や、蛾類の侵入がない密閉構造、風雨に対する耐久性等が求められる。
【０００４】
ところで、和風のムード照明器具において、和紙は格好の素材であり、旧来より行灯型照明器具や提灯型照明器具に採用されている。
【特許文献１】特開平１１−８６６１２号公報
【考案の開示】
【考案が解決しようとする課題】
【０００５】
しかし、和紙を照明器具の素材に用いる場合には、具体的に、次のような問題がある。和紙は、極めて燃えよい材料であるため、光源との距離に制約される。密閉構造とすると光源から発生する熱のこもりによって火災の危険が生じる。また、洋紙に比べれば十分な破れ強度を有するものの、紙材料としての限界がある。強度や耐水性の点で屋外使用には、耐え得ない。質素で素朴なデザインに適合するが、重厚さや華麗さを演出することは素材の性質上難しく、殊に、非点灯時には貧相な外観となることが多い。水濡れに弱く汚れが付着し易い等の問題である。一方、多々問題があるにしても、和紙には、他の素材では得難い特有の風合いがあることも事実である。
【０００６】
本考案は、旧来の和紙に極めて近い風合いを備えながら、和紙が有していなかった諸特性を発揮することができるように工夫された新素材が提供されるに至って、このような和紙風新素材を採用することで、照明器具における和紙使用の問題点がの殆どが解消されることに着目するとともに、和紙風新素材に豪華さ、華麗を演出することができるデザイン要素を組み合わせることによって、質素で素朴なデザインしか実現できなかった照明器具における和紙使用の問題点を解決し、殊に、非点灯時においても豪華で質感の高いオブジェとして機能させることを課題とする。
【課題を解決するための手段】
【０００７】
本考案は、上記課題を解決するために次のような手段を採用する。
【０００８】
本考案の請求項１に記載のムード照明器具は、内部光源と、内部光源の光を周囲に配光する投光窓を有し内部光源を取り囲むように形成する外装ケースと、外装ケースの投光窓に張設する光透過性のシールド部材とを備え、このシールド部材は、外部から点灯状態の内部光源を視認不可能に光を透過する和紙風半透明シートと、和紙風半透明シートの前面に添設する平面的に形成された水引技法による細線模様細工との組合せからなることを特徴とする。
【０００９】
上記構成に示すように、本考案に係るムード照明器具における内部光源は、格別の制限を受けない。赤熱電球、ろうそく型電球、発光ダイオード、蛍光放電管、ネオンランプ等から自由に選択使用することができる。内部光源から発した光線は、外装ケースの投光窓に張設されたシールド部材を透過して外部に放散される。しかし、内部光源は、外部からは、観察されないので、電装部材の配置等に拘泥する必要はない。光線が、透過するシールド部材は、和紙風半透明シートと、その前面、すなわち外側に添設する水引技法による細線模様細工とからなり、細線模様細工が内部光源に照らされて明るくなった和紙風半透明シートをバックとして鮮明に映える特有の外観を創出することができる。
【００１０】
本考案の請求項２に記載のムード照明器具は、光透過性のシールド部材を構成する和紙風半透明シートが、ポリエステルモノフィラメント糸のメッシュ織地にポリエステル不織布を積層してなる和紙風クロスであることを特徴とする。
【００１１】
上記構成におけるポリエステルモノフィラメント糸のメッシュ織地にポリエステル不織布を積層してなる和紙風クロスとしては、現時点で帝人ネステックス（株）製の商品名「エルシェード」を挙げることができる。この和紙風クロスは、和紙風に薄く成形した際の不織布の欠点を補う目的で、不織布と、線径５０μｍ程度で２００メッシュ程度に仕上げたメッシュ織地とを積層させた製品であり、難燃性、易洗浄性、高い破断強度、良通気性等の製品特性を実現したものである。そして、この和紙風クロスを採用する本考案のムード照明器具は、このような製品特性をそのまま発揮することができる。
【００１２】
本考案の請求項３に記載のムード照明器具は、シールド部材を構成する細線模様細工が水引を材料としてなることを特徴とする。
【００１３】
上記構成の細線模様細工は、水引を材料とし水引技法によって形成されるものであることから、伝統工芸として蓄積された技をそのままムード照明器具に応用することが可能となる。
【００１４】
本考案の請求項４に記載のムード照明器具は、シールド部材構成する和紙風半透明シートが、板厚内に和紙を封入してなる和紙入り樹脂シートであることを特徴とする。
【００１５】
上記構成において使用する和紙入り樹脂シートは、和紙に比べれば風合いに少し違和感が伴なうが、樹脂板の一種として風雨を完全に遮断することができるので、ムード照明器具を屋外使用に耐えるものとすることができる。
【００１６】
本考案の請求項５に記載のムード照明器具はシールド部材を構成する和紙風半透明シートとして和紙入り樹脂シートを採用する場合において、外装ケースが耐錆性の金属材料によって形成されるとともに、細線模様細工が耐錆性の金属製細線を材料としてなることを特徴とする。
【００１７】
上記構成を有するムード照明器具は、外装ケース、シールド部材を構成する和紙風半透明シートおよび細線模様細工のいずれもが風雨に耐えることができる材料であることにより、屋外に恒常的に設置して使用することが可能となる。
【００１８】
本考案の請求項６に記載のムード照明器具は、シールド部材を構成する和紙風半透明シーと細線模様細工との間に所定の間隔が設定されていることを特徴とする。
【００１９】
上記構成における利点は、和紙風半透明シートと細線模様細工との間に所定の間隔が維持されていない場合と比較することによって明確となる。すなわち、両者間に適当な間隔が設定されていない場合においては、細線模様細工が和紙風半透明シートに描かれた図案のような浅薄なイメージとなるのに対し、両者間に適切な間隔が設定されている場合においては、奥行き間を伴なう立体的なイメージを演出することができるのである。
【考案の効果】
【００２０】
本考案のムード照明器具は、外装ケースの投光窓に、和紙風半透明シートと水引技法による細線模様細工を組合わせてなる特殊なシールド部材を張設したことにより、内部光源を点灯した状態においては、明るい和紙風半透明シートをバックに細線模様細工が浮かび上がる特有の外観を実現することができるとともに、非点灯時においても、水引技法の細線模様細工が奏する豪華で華麗な外観を維持することができるという効果を発揮する。
【考案を実施するための最良の形態】
【００２１】
以下、図面を引用しながら本考案の実施の形態を説明する。
【００２２】
本考案に係るムード照明器具は、極めて多様な形態のものとして実施することができる。これは、前述したように、機能照明器具と異なってムード照明器具の場合は、照明器具としての最低限度の制約を除き、格別のデザイン制約要因がないからである。また、本考案は、主として和風に属するデザインを眼目に置いているが、各部の材料の選択やデザインの工夫によって、洋風のものとしても、和洋折衷形態のものとしても実施することができる。以下に、和風のムード照明器具として製作した実施例を説明する。
【００２３】
（実施例１）
ムード照明器具２０Ａは、外装ケース２０と、内部光源Ｌ１及び内部光源Ｌ１を取り付けるための補助フレーム４０とからなる（図１，図２）。外装ケース２０は、四周の側板２２…と天板２１と台枠２３とからなり、全体としては、角筒状トールボーイ型の床置き形式のものとされている。サイズは、幅２０センチメートル、奥行き２０センチメートル、高さ９０センチメートルである。
【００２４】
台枠２３は、楢角材の角部斜め突き合わせ接合構造で枠状に組み上げたものを２段積みとして構成である。台枠２３上には底板２４が張られている。天板２１も同等の造りであり、形成された枠形の内部には、石川県珠洲地区において再現活動されている珠洲焼による装飾陶板２５が面一に落とし込まれている。ムード照明器具２０Ａの四周を形成する各側板２２には、それぞれ、縦長の長方形の投光窓２Ｍが明けられており、各投光窓２Ｍには、シールド部材３０が張設されている。
【００２５】
４枚の側板２２…は、４箇所の内側コーナ位置に配置する隅木を利用して互いに接合されている。なお、四方の側板２２…のうち１枚は、内部光源Ｌ１の交換や、シールド部材３０の交換要求に対応して着脱自在とされている。
【００２６】
内部光源Ｌ１には、直管形の蛍光管が採用され、補助フレーム４０を介して外装ケース２０内に設置される。補助フレーム４０は、蛍光管ソケット４５を固定するための上下１対の固定板４１，４３を４本の縦桟４２…で連結一体化した枠桟構造である。補助フレーム４０は、外装ケース２０とは別に組み立てられ、組立て完了した補助フレーム４０は、組立て完了した外装ケース２０の内部に位置決め固定される。一見、部材が重畳して煩雑な構造のように思われるが、実際には、両者を一体的に組み立てる場合に比べて作業時間を大幅に短縮することができる。
【００２７】
各側板２２は（図３，図４）、楢材薄板からなる表面側の突き板２Ａと、突き板２Ａに圧着される合せ板２Ｂとからなり、投光窓２Ｍを形成する際の突き板２Ａの開口部に対して合せ板２Ｂの開口部の方を一回り大きく形成している。この結果、突き板２Ａの裏面側の投光窓２Ｍの周囲には、座ぐり加工をしたのと同様の段差が形成されており、この段差部分にシールド部材３０を取り付けた角枠状の押え枠３３が落とし込まれている。そして、落とし込まれた押え枠３３は、側板２２の裏面側において投光窓２Ｍの上下に取り付ける固定桟３４，３４にねじ固定されている。つまり、シールド部材３０は、押え枠３３と共に簡単に交換することができる。
【００２８】
押え枠３３に取り付けられるシールド部材３０は、外装ケース２０の外側なる細線模様細工３１と、内側になる和紙風半透明シート３２とからなる。この両者間には、スペーサ３５を介装することによって、約０．５センチメートルの間隔Ｄ１が設定されている（図４）。
【００２９】
和紙風半透明シート３２には、帝人ネステックス（株）製の商品名「エルシェード」を用いている。この和紙風半透明シート３２は、ポリエステルモノフィラメント糸のメッシュ織地３Ａにポリエステル不織布３Ｂを積層してなり（図５）、表裏の別がある。表面側は、高級和紙と同等の風合いを有するが裏面側は、メッシュ地の織地感が目に付いてしまう。したがって、本用途においては、不織布３Ｂ側を表として用いる。
【００３０】
一方、細線模様細工３１の素材には、伝統的構成の水引Ｍ２，Ｍ３，Ｍ４を用いている（図６）。伝統的構成であるとしても今日における水引Ｍ２…には、多様な素材を用いたものが提供されている。図６（Ａ）に示す水引Ｍ２は紅白２本寄せ、図６（Ｂ）に示す水引Ｍ３は金ラメ入り３本寄せ、図６（Ｃ）に示す水引Ｍ４は変わり糸入り４本寄せ構成の例示である。本実施例では、３本寄せのものを用いている。
【００３１】
また、水引Ｍ２…の組み方も多種多様である。これを図７に例示する。図７（Ａ）は綾目組み、図７（Ｂ）は格子組み、図７（Ｃ）は瓢箪組みの例である。なお、組み方の名称については、地方によって異なる呼称があるようである。本実施例では、瓢箪組みを採用したが、斜視図での図示が困難を極めるため、図１においては綾目組みで代用表現している。
【００３２】
（実施例２）
床の間、書院、雛飾り等と共に設置して用いる小型のムード照明器具２０Ｂについて説明する（図８）。ムード照明器具３０Ｂは、外装ケース２０は小型であるため、適切な高さに支持するための１対の支脚２７，２７を備えている。１対の支脚２７，２７は、共通のベース板２８上に固定され、自立することができる。外装ケース２０は、幅２５センチメートル、高さ３０センチメートル、奥行き１０センチメートルに設定され、支脚２７，２７は、外装ケース２０の天面が６０センチメートル位置となるように長さ設定されている。ムード照明器具２０Ｂの全体は、黒漆塗り仕上げである。
【００３３】
外装ケース２０は、前面の側板２２と背面の側板２２に投光窓２Ｍを有し、投光窓２Ｍには、内部側から、和紙風半透明シート３２と細線模様細工３１とからなるシールド部材３０が張設されている。細線模様細工３１には、極く簡単な格子組みのものを採用している。このように簡素な細線模様細工３１であっても、細線模様細工３１がある場合とない場合とでは、雰囲気が大幅に異なることからして、細線模様細工３１が大きなデザイン効果を奏していることが覗われる。なお、内部光源Ｌ１には、１５Ｗのろうそく型電球を用いている。
【００３４】
以下、上記の実施例との関係において説明されなかった事項を補足する。
【００３５】
シールド部材３０を構成している和紙風半透明シート３２は、ムード照明器具の２０Ａの設置条件によっては、板厚内に和紙を封入してなる和紙入り樹脂シートを用いることができる。このような素材は、従前よりホームセンタ等で簡単に入手することができる。このような素材の特性は、和紙を封入しない単なる樹脂シートと同等であるので、玄関口や屋外に設置して利用するのに便利である。
【００３６】
また、外装ケース２０には、例えば、ブロンズやアルミニウム合金、亜鉛系合金等の耐錆性の金属材料をダイカスト成形したものを採用することができる。そして、この場合における細線模様細工については、例えば、銅線、真鍮線、ステンレス線、アルマイト処理アルミニウム線、ビニル被覆ワイヤ等の耐錆性の金属製細線を使用することができる。このような材料の使用によってムード照明器具２０Ａは、完全屋外仕様となる。
【図面の簡単な説明】
【００３７】
【図１】本考案のムード照明器具の実施例を示す斜視図である。
【図２】上記実施例における横断面図である。
【図３】上記実施例における側板の背面図である。
【図４】図３のＸ−Ｘ線矢視断面図である。
【図５】上記実施例における和紙風半透明シートの斜視図である。
【図６】上記実施例における水引の斜視図である。
【図７】上記実施例における細線模様細工を例示する平面図である。
【図８】本考案のムード照明器具の他の実施例を示す斜視図である。
【符号の説明】
【００３８】
２０Ａ    ムード照明器具
２０Ｂ    ムード照明器具
Ｄ１      間隔
Ｍ２      水引
Ｍ３      水引
Ｍ４      水引
Ｌ１      内部光源
Ａ１      後傾角度
２０      外装ケース
２Ｍ      投光窓
３０      シールド部材
３１      細線模様細工
３２      和紙風半透明シート
３Ａ      メッシュ織地
３Ｂ      ポリエステル不織布
【図１】
0003120129.tif 000003
【図２】
0003120129.tif 000004
【図３】
0003120129.tif 000005
【図４】
0003120129.tif 000006
【図５】
0003120129.tif 000007
【図６】
0003120129.tif 000008
【図７】
0003120129.tif 000009
【図８】
0003120129.tif 000010